(57)【要約】【課題】強度を高めるとともに歪みや反りの発生を防止可能であるとともに、有害物質による環境等への悪影響を防止することが可能な段ボール製ボードを提供する。【解決手段】板材を波型に成型してなる基材４と、基材４の表裏面に接着した板材５と、を備えた段ボール３ａ、３ｂを接着剤により２枚重ね合わして接着することで構成されたボード本体２と、ボード本体２の少なくとも表裏面のいずれかの面に形成した接着層７と、接着層７に剥離可能に備えた剥離紙８とを備えた段ボール製ボード１であって、段ボールを２枚重ね合わすに際しては、それぞれの基材４における波の方向が互いに直交する方向になるように配置し、段ボールを接着するに際しては、エマルジョン系の接着剤を用いて、段ボールはＢフルートの厚みのものを用いた。【選択図】図１
0003235624.tif 000002
【実用新案登録請求の範囲】
【請求項１】
板材を波型に成型してなる基材（４）と、該基材（４）の表裏面に接着した板材（５）と、を備えた段ボール（３ａ、３ｂ）を接着剤により２枚重ね合わして接着することで構成されたボード本体（２）と、
該ボード本体（２）の少なくとも表裏面のいずれかの面に形成した接着層（７）と、
該接着層（７）に剥離可能に備えた剥離紙（８）と、を備えた段ボール製ボード（１）であって、
段ボール（３ａ、３ｂ）を２枚重ね合わすに際しては、それぞれの基材（４）における波の方向が互いに直交する方向になるように配置し、
段ボール（３ａ、３ｂ）を接着するに際しては、エマルジョン系の接着剤を用いた、ことを特徴とする段ボール製ボード。
【請求項２】
前記段ボール（３ａ、３ｂ）の厚みがＢフルートであることを特徴とする請求項１に記載の段ボール製ボード。
【請求項３】
前記段ボール（３ａ、３ｂ）を古紙リサイクル品により形成したことを特徴とする請求項１又は請求項２に記載の段ボール製ボード。
【考案の詳細な説明】
【技術分野】
【０００１】
本考案は段ボール製ボードに係り、より詳しくは、波型の基材を有する段ボール２枚を、波の向きが互いに直交する向きになるように配置して重ね合わせて構成したことを特徴とする段ボール製ボードに関する。
【背景技術】
【０００２】
従来から、発泡スチロール等のプラスチック製のボードの片面に接着層を形成して構成した糊付きパネルが提供されている。そして、この糊付きパネルによれば、パネルに写真やポスター等を貼着することで、好みの写真やポスター等を好みの場所に自由自在に飾ることが可能となる。
【０００３】
しかしながら、プラスチック製のパネルでは、廃棄する際に有害物質を発生して環境に悪影響を与える等の問題があるために、これらの問題を解決する方法として、段ボールの片面に接着層を形成した段ボール製のボードが考えられる。
【０００４】
ところで、一般的に段ボールは、波型に成形した面を有する基材の上下面に板材を接着して構成されているが、この構成だと、上下の板材間に空間が生じてしまう、そのために、前述のような段ボールを用いたボードでは、上下から押される力に弱く、強い力で上側あるいは下側から押されるとつぶれてしまうという問題点が指摘できる。
【０００５】
そのために、本出願人は過去において、波型に成形した基材を２枚用いて、基材の波型面の波が同一方向に向かないような配置において、基材を重ね合わせて構成した段ボール製のパネルを提案しており、この構成の段ボール製パネルによれば、基材を１枚用いた一般的な段ボールを用いたパネルと異なり、強度を高めることが可能となった。
【先行技術文献】
【特許文献】
【０００６】
【特許文献１】実用新案登録第３０７６７６１号公報
【考案の概要】
【考案が解決しようとする課題】
【０００７】
ところで、一般的に段ボールでは、基材の上下面に板材を重ね合わせる方法として接着剤を用いるが、従来の段ボールでは基材と板材の接着に際しては有機溶剤系の接着剤を用いていた。そのために、有害物質を放出する危険性も考えられ、また焼却により有害物質を放出することも十分に考えられる。
【０００８】
そこで、本考案は、強度を高めることが可能であるとともに、有害物質による環境等への悪影響を防止することが可能な段ボール製ボードを提供することを課題としている。
【課題を解決するための手段】
【０００９】
本考案の段ボール製ボードは、
板材を波型に成型してなる基材と該基材の表裏面に接着した板材とを備えた段ボールを、接着剤により２枚重ね合わして接着することで構成されたボード本体と、
該ボード本体の少なくとも表裏面のいずれかの面に形成した接着層と、
該接着に剥離可能に備えた剥離紙と、を備えた段ボール製ボードであって、
前記段ボールを２枚重ね合わすに際しては、それぞれの基材における波の方向が互いに直交する方向になるように配置し、
前記段ボールの接着に際しては、エマルジョン系の接着剤を用いたことを特徴としている。
【考案の効果】
【００１０】
本考案の段ボール製ボードでは、板材を波型に成型してなる基材と該基材の表裏面に接着した板材とを備えた段ボールを接着剤により２枚重ね合わして接着することで構成されているとともに、２枚の段ボールを重ね合わすに際しては、それぞれの波の方向が互いに直交する方向になるように配置しているため、従来の段ボール製のボードやパネルと比べると強度を高めることが可能である。
【００１１】
また、２枚の段ボールの接着に際しては、エマルジョン系の接着剤を用いており、溶剤を使用しないために、有害物質を放出することが無く、人体や環境にたいして悪影響の無いボードとしている。
【図面の簡単な説明】
【００１２】
【図１】本考案の段ボール製ボードの実施例のイメージ図である。
【図２】本考案の段ボール製ボードの実施例の構成を説明するための断面図である。
【考案を実施するための形態】
【００１３】
本考案の段ボール製ボードでは、波型に形成した基材と、この基材の表裏面に接着した板材とで構成された段ボールを、接着剤により２枚重ね合わして接着することで構成されたボード本体を有している。
【００１４】
そして、前記ボード本体の少なくとも表裏面の一方の面には接着層が形成されるとともに、この接着層には剥離自在にして剥離紙が備えられている。
【００１５】
また、２枚の段ボールを重ね合わせるに際しては、段ボールのそれぞれの波の方向が互いに直交する方向になるように配置している。
【００１６】
そして更に、２枚の段ボールの接着に際しては、有機溶剤を用いないエマルジョン系の接着剤を用いている。
【００１７】
ここで、段ボールの厚みはいずれも、Ｂフルートにするとよく、これにより、段ボールの歪みや反りを防止することが可能である。
【００１８】
また、段ボールは、古紙リサイクル品により形成するとよく、これにより環境に優しい段ボール製ボードにすることが可能である。
【実施例１】
【００１９】
本考案の段ボール製ボードの実施例について図面を参照して説明すると、図１は本実施例の段ボール製ボード１の概略を示すイメージ図、図２は本実施例の段ボール製ボードの構造を説明するための断面図であり、図において１が本実施例の段ボール製ボードである。
【００２０】
そして、本実施例の段ボール製ボード１は、ボード本体と、このボード本体の上面に形成した接着層を有しており、接着層には更に、剥離紙が、剥離自在に接着されている。そのため、剥離紙を剥がして接着層を露出させることで、写真やパネル等をボードに貼着することが可能である。
【００２１】
即ち、図において２がボード本体であり、本実施例において前記ボード本体２は、段ボールを２枚、接着剤により接着することで構成されている。
【００２２】
ここで、図において３ａ、３ｂがそれぞれの段ボールであり、この段ボール３ａ、３ｂは通常の段ボールと同様に、波型に成形した基材４と、この基材４の表裏面に接着した板材５で構成されている。そして本実施例において前記段ボール３ａ、３ｂはそれぞれ、Ｂフルートの厚みを有する段ボールを用いている。
【００２３】
そして、段ボール３ａ、３ｂを重ね合わせるに際しては、基材４の波の方向が同一方向に向かないような配置にしている。具体的には、それぞれの波の方向が互いに直交する方向になるように配置している。そのために、本実施例の段ボール製ボードでは、従来の段ボール製のボードやパネルと比べると、強度を高めることが可能である。
【００２４】
また、２枚の段ボール３ａ、３ｂのいずれの段ボールも、Ｂフルートの厚みの段ボールとしているために、反りや歪みが発生することを防止することが可能である。
【００２５】
次に、図において６は、２枚の段ボール３ａ、３ｂを接着するための接着剤であり、この接着剤６により、２枚の段ボール３ａ、３ｂの板材を互いに接着している。そして、本実施例の段ボール製ボード１では、２枚の段ボール３ａ、３ｂを接着するために用いる接着剤として、エマルジョン系の接着剤を用いている。周知の通り、エマルジョン系の接着剤は、水性接着剤であり、毒性が少ないために、これを用いている本実施例の段ボール製ボード１でも、人体や環境に悪影響を与える有害物質を放出することが無い。
【００２６】
次に、図において７は接着層である。本実施例の段ボール製ボード１では、一方の段ボールにおける板材の露出面に接着層７を形成しており、この接着層７には剥離自在にして剥離紙８を貼着している。従って、これにより、剥離紙８を剥がして接着層７を露出させることで、露出させた接着層７に、写真、ポスター、メモ等を貼着可能としている。
【００２７】
そして、本実施例の段ボール製ボード１では、段ボールを構成する紙材のすべてを、古紙リサイクル品を用いており、これにより、環境保全に役立ち、環境への負荷が少ない、環境に配慮した商品にすることを可能としている。
【００２８】
なお、板材の露出面に備える前記接着層７は、必ずしも一方の段ボールにおける板材の露出面に形成する必要はなく、２枚の段ボールの双方の板材の露出面に接着層を形成しても良く、これにより、段ボール製ボードの表裏面の双方に写真やポスターを貼着することができる。
【００２９】
このように、本実施例の段ボール製ボード１では、２枚の段ボール３ａ、３ｂを用いて、互いの基材４における波の方向が互いに直交する方向になるように配置して２枚の段ボール３ａ、３ｂを重ね合わせているために、従来の段ボール製のボードやパネルと比べると強度を高めることが可能である。そしてこのとき、２枚の段ボール３ａ、３ｂのいずれの段ボールもＢフルートの厚みの段ボールとしているために、反りや歪みが発生することを防止することが可能である。
【００３０】
更に、本実施例の段ボール製ボード１では、２枚の段ボール３ａ、３ｂを接着するために用いる接着剤として、毒性の少ない水性のエマルジョン系の接着剤を用いているため、人体や環境に悪影響を与える有害物質を放出することが無い。
【００３１】
そして更に、本実施例の段ボール製ボード１では、段ボールを構成する紙材のすべてを、古紙リサイクル品を用いているために、環境保全に役立ち、環境への負荷が少ない、環境に配慮した商品にすることが可能である。
【産業上の利用可能性】
【００３２】
本考案の段ボール製ボードは、エマルジョン系の接着剤を用いて２枚の段ボールを重ね合わすことで、強度が強いとともに環境や人体にも悪影響の無いボードを得ることを可能としているために、２枚の段ボールを重ね合わして構成されるボードの全般に適用可能である。
【符号の説明】
【００３３】
１    段ボール製ボード
２    ボード本体
３ａ、３ｂ    段ボール
４    基材
５    板材
６    接着剤
７    接着層
８    剥離紙
【図１】
0003235624.tif 000003
【図２】
0003235624.tif 000004